【事件の表示】
　特願２００１−１１４９７７「パチンコ機」拒絶査定不服審判事件〔平成１３年１０月２３日出願公開、特開２００１−２９３１６２〕について、次のとおり審決する。
【結　論】
　本件審判の請求は、成り立たない。
【理　由】
１　手続の経緯及び本願発明
　本願は、平成６年４月１９日に出願した特願平６−１０３１７８号の一部を平成１３年４月１３日に新たな特許出願としたものであって、平成１６年６月１１日付で拒絶査定がなされ、これに対し、同年７月２２日に拒絶査定に対する審判請求がなされたものであり、その請求項１に係る発明は、平成１６年４月２２日付手続補正書の特許請求の範囲の請求項１に記載された次のとおりのもの（以下、「本願発明」という）と認める。
　
　「前方に向けて開口する放出口の左右には前方に向けて開口する横長の飛込口を設け、該左右の飛込口の下縁に沿って球の飛込みを誘導する誘導釘を植設し、遊技盤面に沿って落下する球のうち上記誘導釘に衝突して飛び込む球を前記飛込口に受け入れ、且つこの飛入球を前記放出口に向けて傾斜する球誘導路を通して前記放出口に誘導し、該放出口から前記遊技盤面に再び戻すように構成する一方、前記左右の飛込口にはそれぞれ下縁に沿って前記飛入球の転出を防ぐ突起を設け、また前記放出口は底板部分を前方に向けて下り傾斜にすると共に横幅方向の中央部分を隆起させ、該底板部分上を転がり放出される前記飛入球を左右に振り分け放出するようにしてなるパチンコ機。」
　
２　引用例
　原査定の拒絶の理由に引用された、実願昭６０−２９５４７号（特開平６１−１４５５７７号）のマイクロフィルム（以下、「引用例１」という）には、図面とともに、以下の事項が記載されている。
　
　（ａ）「この考案は、遊技機能部に設けられた入賞領域に遊技球が入賞することにより遊技者に特別の利益を与えるようにされたパチンコ遊技機に関し、特に遊技機能部に設けられた特定入賞口への入賞により、遊技機能部を流下する打球の流路を変換するようにされたものに関する。」（明細書第２頁第１５〜２０行）
　（ｂ）「特定入賞装置９は、前述した特定入賞口９ａ，９ｂの他に、その中央上部に一般入賞口としての天入賞口９ｃを有している。・・・飛込み型入賞口に形成された第２特定入賞口９ａへは、その下方に植設された障害釘１３ｂに激突し跳ね返った打球が偶発的に入賞する。」（明細書第９頁第１１〜１９行）
　（ｃ）「特定入賞装置９の背部には、上記特定入賞口９ａに入賞した打球を集合せしめるべく、中央に向かって下り傾斜された誘導樋９１が設けられている。また、特定入賞装置９の中央には、誘導樋９１により誘導されて来た入賞球を再び遊技盤前方の遊技機能部４へ流下させるべく、第３図（Ｂ）に示すような、前方へ下り傾斜した合流部９２が形成され、かつその前方に導出口９３が形成されている。導出口９３の下部には、ほぼ垂直な誘導壁９４が形成されており、この誘導壁９４において、第１流路Ａと合流して上記導出口９３により流出した入賞球および特定入賞口９ａへ入賞した打球を下方へ流下させる。」（明細書第９頁第２０行〜同第１０頁第１２頁）
　
　また、引用例１の第２図及び第３図を参照すると、「導出口９３」が、前方に向けて開口していること、「特定入賞口９ａ」が、横長に形成され、「導出口９３」の左右に前方に向けて開口していること、「障害釘１３ｂ」が、左右の「特定入賞口９ａ」の下縁に沿って植設されていることが示されている。
　
　よって、引用例１には次の発明（以下、「引用発明１」という）が記載されているものと認められる。
　
　「前方に向けて開口する導出口９３の左右には前方に向けて開口する横長の特定入賞口９ａが形成され、飛込み型入賞口に形成された特定入賞口９ａへは、該特定入賞口９ａの下縁に沿って植設された障害釘１３ｂに激突し跳ね返った打球が偶発的に入賞し、特定入賞口９ａに入賞した打球を集合せしめるべく、中央に向かって下り傾斜された誘導樋９１が設けられ、誘導樋９１により誘導されて来た入賞球を再び遊技盤前方の遊技機能部４へ流下させるべく、前方へ下り傾斜した合流部９２が形成され、かつその前方に導出口９３が形成されたパチンコ遊技機。」
　
　また、原査定の拒絶の理由に引用された、特開平２−１３６１５３号公報（以下、「引用例２」という）には、図面とともに、以下の事項が記載されている。
　
　「下部玉転動板８３は、後方から前方に向って下り傾斜しているとともに、中央が膨出状の隆起部８４を構成し、左右が平面状の平板部８５ａ，８５ｂを構成している。したがって、上部玉転動板８１から勢いよく落下した入賞玉（打玉）Ｐ１は、隆起部８４があるにも拘らず、直線状に真直流下する。一方、勢いがない入賞玉Ｐ２は、隆起部８４から平板部８５ａ，８５ｂに流れて左右両側前方に流下することになる。」（第５頁右上欄第１４行〜左下欄第３行）
　
３　対比
　本願発明と引用発明１を比較する。
　引用発明１の「導出口９３」は本願発明の「放出口」に相当し、以下同様に、「特定入賞口９ａ」は「飛込口」に、「障害釘１３ｂ」は「球の飛込みを誘導する誘導釘」に、「障害釘１３ｂに激突し跳ね返った打球」は「誘導釘に衝突して飛び込む球」に、「中央に向かって下り傾斜された球誘導樋９１」は「放出口に向けて傾斜する球誘導路」に、「入賞した打球」及び「入賞球」は「飛入球」に、「遊技盤前方の遊技機能部４」は「遊技盤面」に、「合流部９２」は「放出口」の「底板部分」に、「パチンコ遊技機」は「パチンコ機」にそれぞれ相当する。
　したがって、両者は、
　「前方に向けて開口する放出口の左右には前方に向けて開口する横長の飛込口を設け、該左右の飛込口の下縁に沿って球の飛込みを誘導する誘導釘を植設し、遊技盤面に沿って落下する球のうち上記誘導釘に衝突して飛び込む球を前記飛込口に受け入れ、且つこの飛入球を前記放出口に向けて傾斜する球誘導路を通して前記放出口に誘導し、該放出口から前記遊技盤面に再び戻すように構成する一方、前記放出口は底板部分を前方に向けて下り傾斜にしたパチンコ機。」
で一致し、以下の点で相違する。
　
（相違点１）
　左右の飛込口のそれぞれについて、本願発明では、下縁に沿って飛入球の転出を防ぐ突起を設けているのに対して、引用発明１では、かかる構成を備えていない点。
　
（相違点２）
　放出口の底板部分について、本願発明では、横幅方向の中央部分を隆起させ、底板部分上を転がり放出される飛入球を左右に振り分け放出するようにしているのに対して、引用発明１では、かかる構成を備えていない点。
　
４　当審の判断
　上記相違点１について検討する。
　球の受け入れを伴う各種装置の設計にあたり、装置内に一旦受け入れた球の転出防止を図ることは、当業者であれば当然に考慮するべき事項であり、その解決手段として装置の開口部分の下縁に沿って突起を設けることは、例えば、特開平５−１４６５４３号公報（第１８図を参照すると、「球流出部２２４」に沿って突起を設けた構成が示されている）、実願平２−１１７１６９号（実開平３−７３１８５号）のマイクロフィルム（明細書第６頁第１〜３行には、「この飛込口１４の下縁を裏カバー１１の底面１１’よりも若干盛り上げて球貯留部１３に飛び込んだ球が前方に流出しないようにする。」と記載されている）に示されるとおり、従来周知の技術である。
　よって、引用発明１の「特定入賞口９ａ」（飛込口）に対して、受け入れた「入賞球」（飛入球）の転出防止を図るべく、上記周知技術を採用して、上記相違点１にかかる本願発明のように構成することは、当業者であれば容易になしえる事項である。
　
　次に上記相違点２について検討する。
　上記２において摘示した引用例２の記載事項における「下部玉転動板８３」、「中央が膨出状の隆起部８４」、「入賞玉」及び「左右両側前方に流下」は、それぞれ本願発明の「底板部分」、「横幅方向の中央部分を隆起させ」た構成、「飛入球」及び「左右に振り分け放出」に対応するから、引用例２には、「横幅方向の中央部分を隆起させ、底板部分上を転がり放出される飛入球を左右に振り分け放出する底板部分」の発明（以下、「引用発明２」という）が記載されている。
　ところで、引用例１の記載事項（上記２（ｃ）参照）によれば、引用発明１は、「導出口９３」（放出口）の下部に形成された垂直な「誘導壁９４」から飛入球を下方へ流下させるものであり、飛入球を左右に振り分け放出するものではない。しかしながら、パチンコ機の各種装置を設計するにあたり、球の動きをどのように変化させるかは、遊技性を考慮しつつ適宜検討する事項であり、引用発明１において飛入球を左右に振り分け放出するようにすることも当業者にとっては設計的事項にすぎない。
　そして、引用発明１及び引用発明２は、同じ技術分野に属するものであるから、引用発明１の「導出口９３」（放出口）の「合流部９２」（底板部分）に、飛入球を左右に振り分け放出する構成として引用発明２を採用し、上記相違点２にかかる本願発明のように構成することは、当業者であれば容易になしえる事項である。
　
　また、本願発明の作用効果も、引用発明１、引用発明２及び上記周知技術に基づいて当業者が予測できる範囲のものである。
　
５　むすび
　したがって、本願発明は、引用発明１、引用発明２及び上記周知技術に基づいて当業者が容易に発明をすることができたものであるから、特許法第２９条第２項に規定により特許を受けることができない。
　よって、結論のとおり審決する。